(57)【要約】【課題】  便座ユニットをジャストフィットさせ、取り付けた後にはぐらつきが生じない状態に取り付けることのできる便座ユニットを提供する。【解決手段】  便座１１と便蓋１２とを回動自在に支持する基台部分の底部に便器２０の前後方向にスリット３が設けられている。ボルト５の頭板５ｂ’をスリット３幅よりも大きい幅とし、基台部分１のスリット３内に頭板部分５ｂ’を挿入する。ボルト挿入孔２１に雄ネジ５ａを通し入れた状態において、ボルト挿入孔２１付近の裏面から半球パッキン２２とナット２３を雄ネジ５ａに螺合し、ボルト挿入孔２１付近の肉厚とスリット３の肉厚とを挟み込むことにより、便器２０と基台部分１を挟持して固定せしめる。ボルトの頭板部分５ｂ’がスリット３の前後方向に長く延設されているので、基台部分１の相対的移動が制限されぐらつきが低減される。【選択図】図１
2007160124.tif 000002
【特許請求の範囲】
【請求項１】
便器の上に載せ置かれ使用者が座るための便座と、
前記便座に被せる便蓋と、
前記便座および前記便蓋が回動自在に支持される支持部と、底部に前記便器の前後方向にスリットが延在し、後面に前記スリットの開口を備えた基台部分と、
前記スリット幅よりも大きい幅の頭板部分と前記スリット幅よりも小さい径の雄ネジとを持ち、前記基台部分のスリット内に前記頭板部分を挿入して前記スリットから下方に前記雄ネジを突出せしめるボルトと、
前記便器に設けられているボルト挿入孔に前記雄ネジを通し入れた状態において、前記便器のボルト挿入孔付近の裏面から前記雄ネジに螺合し、前記便器のボルト挿入孔付近の肉厚と前記スリットの肉厚とを挟み込むことにより、前記便器と前記基台部分を挟持して固定せしめるナットとを備え、
前記ボルトの頭板部分を前記スリットの前後方向に長く延設し、前記スリットと前記ボルトの頭板部分の相対的回転移動を制限し、前記便座ユニットの前記便器に対する相対的移動を制限せしめることを特徴とする便座ユニット。
【請求項２】
前記ボルトの頭板部分において前記雄ネジを設ける位置を前記延設方向の一端付近とし、他端付近に振れ止めピン受入口を設け、
前記ボルトの頭板部分よりも大きな面積を持ち、前記振れ止めピン受入口に対応する位置に振れ止めピン挿通孔を備えたパッキンを前記便器と前記ボルトの頭板部分との間に挟み込み、
振れ止めピンを前記パッキンの触れ止めピン挿通孔を通して前記ボルトの頭板部分の振れ止めピン受入口に固定し、前記ボルトを横振れを防止せしめることを特徴とする請求項１に記載の便座ユニット。
【請求項３】
便器の上に載せ置かれ使用者が座るための便座と、
前記便座に被せる便蓋と、
前記便座および前記便蓋が回動自在に支持される支持部と、底部に前記便器の前後方向にスリットが延在し、後面に前記スリットの開口を備えた基台部分と、
前記スリット幅よりも大きい幅の頭板部分と前記スリット幅よりも小さい径の雄ネジとを持ち、前記基台部分のスリット内に前記頭板部分を挿入して前記スリットから下方に前記雄ネジ部分を突出せしめるボルトと、
前記便器に設けられているボルト挿入孔に前記雄ネジを通し入れた状態において、前記雄ネジに螺合し、前記スリットの肉厚と前記便器のボルト挿入孔付近の肉厚とを挟み込むことにより、前記便器と前記基台部分を挟持して固定せしめるナットとを備え、
前記ボルト挿入孔の径より小さく、前記雄ネジに被せることにより前記ボルト挿入孔内に入り込むチューブパッキンを設け、前記チューブパッキンの少なくとも一部の径を前記ボルト挿入孔内において膨張可能とし、前記ボルト挿入孔内で前記雄ネジを固定せしめることを特徴とする便座ユニット。
【請求項４】
便器の上に載せ置かれ使用者が座るための便座と、
前記便座に被せる便蓋と、
前記便座および前記便蓋が回動自在に支持される支持部と、底部に前記便器の前後方向にスリットが延在し、後面に前記スリットの開口を備えた基台部分と、
前記スリット幅よりも大きい幅の頭板部分と前記スリット幅よりも小さい径の雄ネジとを持ち、前記基台部分のスリット内に前記頭板部分を挿入して前記スリットから下方に前記雄ネジを突出せしめるボルトと、
前記便器に設けられているボルト挿入孔に前記雄ネジを通し入れた状態において、前記雄ネジに螺合し、前記スリットの肉厚と前記便器のボルト挿入孔付近の肉厚とを挟み込むことにより、前記便器と前記基台部分を挟持して固定せしめるナットとを備え、
前記ボルト挿入孔の径より小さく、前記雄ネジに螺合することにより前記ボルト挿入孔内に入り込む内ナットと前記内ナットに通し入れる可撓性を有するリングを設け、前記内ナットの径が前記基台部分から離れるほど大きくなるように傾斜を持たせたことを特徴とする便座ユニット。
【発明の詳細な説明】
【技術分野】
【０００１】
本発明は、便器の上面に回動自在に取り付ける便座ユニットに関する。特に、便器上面の取り付け位置においてしっかり固定することができ、がたつきや緩みの生じにくい便座ユニットに関する。
【背景技術】
【０００２】
一般に、洋式便器は陶器製の便器の上面に利用者が腰掛ける便座が取り付けられている。便座はプラスチック製であることが多い。昔は便器と便座が一揃えで便器メーカーにより販売され、施工業者により取り付け設置されていたが、近年、便座が多機能の便座ユニットとして市場に投入され、例えば、電熱ヒータを内蔵した暖房便座ユニットや上面を弾力性のある素材で構成したソフト便座ユニットなどがユニットとして販売・流通するようになっており、便座ユニットは消費者により機能面やデザイン面から選ばれている。このように、便器に対して他メーカーの便座ユニットを取り付けることが要求されるようになってきた。
【０００３】
従来の便座ユニットの便器上面への取り付け構造例（特開２００１−７０１９９号公報に開示された構造例）を図１１から図１７に示す。なお、図１３から図１６は図１１におけるスリットの延設方向に沿った断面図である。
【０００４】
図１１は従来の便座ユニットの基本構成を示す図である。図１１に示すように、便座ユニットは、使用者が座るための便座１１と、便座１１に被せる便蓋１２と、便座１１および便蓋１２が回動自在に支持される支持部を備えた基台部分１とで構成されている。便器２０への便座ユニットの取り付けは、基台部分１を便器２０の上面に対して固定することで便座ユニットを便器２０上面に取り付け、全体を固定する構造となっている。
基台１には洋式便器４の長さ方向（前後方向）にスリット３が形成されている。スリット３にボルト５を取り付けることで基台部分１を便器２０の上面に対して固定する。
便器２０の下方のボルトの雄ネジ５ｂにナット２２および２３を螺合して締め付けることで、便座ユニットを便器２０の最適位置において取り付ける構造となっている。
基台部分１の底部プレート２に洋風便器２０の前後方向に延在するスリット３が２条平行に設けられている。なお、スリット３は、後端側に挿入口３ａを備えている。一方、洋式便器２０の後方部には、ボルト５の雄ネジ５ｂを通すためのボルト挿入孔２１が２個設けられている。なお、ボルト挿入孔２１は多様なメーカーのものに対応するため雌ネジは設けられておらず、単なる孔となっている。
【０００５】
図１２はボルト５のスリット３内への装着方法を模式的に説明する図である。まず、図１２に示すように、ボルト５の頭部５ａをスライド自在にスリット３内に挿入し、ボルト５に図示しないゴム、エラストマ等の軟質材で形成したパッキンを挿通する。その状態でボルト５を便器２０のボルト挿入孔２１に挿通する。便座ユニットは便器２０に対して前後にスライドする状態であり、便座１１の前端が洋式便器２０の前端から５〜２０ｍｍ程度突出するように便座ユニットを載せ置く位置を調整する。
【０００６】
図１３はボルト５をボルト挿入孔に通し入れた状態を示す図である。スリット３の延設方向に沿った断面図となっている。図１３に示すようにこの状態において、ボルト５の頭部５ａが該拡幅部３ａを通って底部プレート２の上側に挿入され、ボルト５の雄ネジ５ｂが該スリット３を通って下方に延出されている。
【０００７】
次に、図１４に示すように、平パッキンを介してボルト５をボルト挿入孔２１に通し、半球パッキン２２及び図示しないスリップワッシャを介してナット２３を該ボルト５に装着する。基台部分１の前後位置を調整してから該ナット２３を締め込み、基台部分１を洋式便器２０に固定し、便座ユニット全体を便器２０に固定する。
この基台部分１には、便蓋１２も上下方向回動自在に取り付けられている。
なお、多機能型の便座ユニットの場合、この基台部分１の内部に温水噴射ノズル等の機構が設置されている。
なお、従来技術において、基台部分１と便器２０をしっかり固定させるために、ナット２３の先端に吸盤構造を持たせる技術も知られている（特開２００４−３５０７８４号公報）。
【０００８】
【特許文献１】特開２００１−７０１９９号公報
【特許文献２】特開２００４−３５０７８４号公報
【発明の開示】
【発明が解決しようとする課題】
【０００９】
一般に洋式便器本体は陶器製であり、焼成によりその大きさや径が若干バラツキを持つものである。つまり、便器２０の大きさはそれぞれ若干異なっており、便器２０と便座ユニットの大きさが合わない場合もあり、当初からうまく取り付けられなかったり、たとえ取り付けられても、使用をするうちにガタやネジ緩みが生じ易いという問題点があった。
【００１０】
まず、取り付けた便座ユニットの前後方向のズレが問題となっていた。従来、便座基台部分１にスリット３を設けているのは、大きさや径にバラツキがある便器２０に対して、どのメーカーの便座ユニットでも取り付けられるようにするために調整可能とするためである。つまり、洋式便器２０に対する便座ユニットの前後方向位置を調整しうるようにスライドさせるために設けられた構造である。そして前後方向の位置決めをした後、ナット２３により固定する構造となっているが、自然とこのナット２３の締め込みが甘くなったり、便座ユニットに力が加えられたりしたときには、図１５に示すように、ナットが緩んで便座ユニットがスリット方向に容易に位置ズレを起こすことがあった。
【００１１】
次に、取り付けた便座ユニットの左右方向のズレまたや回転ズレが問題となっていた。ボルト５の雄ネジ５ｂの径は多様な便器に対して適合できるように便器のボルト挿入孔２１の径よりも小さくなっておりある程度のマージンがあった。つまり、ボルト５の雄ネジ５ｂと便器２０のボルト挿入孔２１とがネジ式で螺合して締め合う構造ではなく、ボルト５の雄ネジ５ｂはボルト挿入孔２１に対して単に挿入されているに過ぎず、雄ネジ５ｂの周囲は空間となっていた。ボルト雄ネジ５ｂは便器２０のボルト挿入孔２１の下方からナット２３と螺合して締め合うものであり、ボルト５とナット２３の螺合によりスリット３の肉厚と便器２０の肉厚とを挟み込むことにより便器２０と便座ユニットを固定しているに過ぎなかった。そのため、自然とこのナット２３の締め込みが甘くなったり、便座ユニットに力が加えられたりしたときには、図１６に示すようにナット２３が緩んでボルト５の雄ネジ５ｂが前後に動くので、便座ユニットが前後に移動するという問題があった。また、力が横方向に加わると図１７に示すようにボルト５の雄ネジ５ｂが回動し、便座ユニット全体が回動してしまうという問題があった。
【００１２】
ここで、使用者が便座１１に座ったときなど荷重を掛けた場合、便器２０に対して便座ユニットがスライドして移動したり、ぐらついたりするために使用者に不安を与える等の問題があった。特に使用者が高齢者の場合、便座ユニットがぐらついていると座り込んだときに便座１１から落ち、骨折するなどの被害が実際に発生する事案が報告されている。
このように、便座ユニットが便器本体にしっかりと固定されていないと利用者が使用しづらいばかりか思わぬ被害まで与えかねない。
【００１３】
上記問題点に鑑み、本発明は、上記従来の問題点に鑑み案出されたものであって、公差がつきものの便器本体に対し、様々なメーカーの便座ユニットをジャストフィットさせ、取り付けた後にはぐらつきが生じない状態に取り付けることのできる便座ユニットを提供することを目的とする。
【課題を解決するための手段】
【００１４】
上記目的を達成するため、本発明の第１の便座ユニットは、
便器の上に載せ置かれ使用者が座るための便座と、
前記便座に被せる便蓋と、
前記便座および前記便蓋が回動自在に支持される支持部と、底部に前記便器の前後方向にスリットが延在し、後面に前記スリットの開口を備えた基台部分と、
前記スリット幅よりも大きい幅の頭板部分と前記スリット幅よりも小さい径の雄ネジとを持ち、前記基台部分のスリット内に前記頭板部分を挿入して前記スリットから下方に前記雄ネジを突出せしめるボルトと、
前記便器に設けられているボルト挿入孔に前記雄ネジを通し入れた状態において、前記便器のボルト挿入孔付近の裏面から前記雄ネジに螺合し、前記便器のボルト挿入孔付近の肉厚と前記スリットの肉厚とを挟み込むことにより、前記便器と前記基台部分を挟持して固定せしめるナットとを備え、
前記ボルトの頭板部分を前記スリットの前後方向に長く延設し、前記スリットと前記ボルトの頭板部分の相対的回転移動を制限し、前記便座ユニットの前記便器に対する相対的移動を制限せしめることを特徴とする。
上記構成のようにボルトの頭板部分を工夫せしめることにより、便座ユニットの便器に対する相対的移動が制限されるので、便座ユニットがぐらつきにくくかつずれにくくなる。
【００１５】
次に、上記構成において、前記ボルトの頭板部分において前記雄ネジを設ける位置を前記延設方向の一端付近とし、他端付近に振れ止めピン受入口を設け、
前記ボルトの頭板部分よりも大きな面積を持ち、前記振れ止めピン受入口に対応する位置に振れ止めピン挿通孔を備えたパッキンを前記便器と前記ボルトの頭板部分との間に挟み込み、
振れ止めピンを前記パッキンの触れ止めピン挿通孔を通して前記ボルトの頭板部分の振れ止めピン受入口に固定し、前記ボルトを横振れを防止せしめることが好ましい。
上記構成により、ボルトの横振れが防止され、さらに便座ユニットのぐらつきがなくなる。
【００１６】
次に、本発明の第２の便座ユニットは、
便器の上に載せ置かれ使用者が座るための便座と、
前記便座に被せる便蓋と、
前記便座および前記便蓋が回動自在に支持される支持部と、底部に前記便器の前後方向にスリットが延在し、後面に前記スリットの開口を備えた基台部分と、
前記スリット幅よりも大きい幅の頭板部分と前記スリット幅よりも小さい径の雄ネジとを持ち、前記基台部分のスリット内に前記頭板部分を挿入して前記スリットから下方に前記雄ネジ部分を突出せしめるボルトと、
前記便器に設けられているボルト挿入孔に前記雄ネジを通し入れた状態において、前記雄ネジに螺合し、前記スリットの肉厚と前記便器のボルト挿入孔付近の肉厚とを挟み込むことにより、前記便器と前記基台部分を挟持して固定せしめるナットとを備え、
前記ボルト挿入孔の径より小さく、前記雄ネジに被せることにより前記ボルト挿入孔内に入り込むチューブパッキンを設け、前記チューブパッキンの少なくとも一部の径を前記ボルト挿入孔内において膨張可能とし、前記ボルト挿入孔内で前記雄ネジを固定せしめることを特徴とする。
上記構成のように一部の径が調整自在なチューブパッキンを用いれば、当該チューブパッキンの一部をボルト挿入孔内で適度に膨らませることにより、チューブパッキンを介してボルト挿入孔と雄ネジ部分とが密着し合って遊ぶことがなくなり、便座ユニットと便器とがしっかりと固定される。
【００１７】
次に、本発明の第３の便座ユニットは、
便器の上に載せ置かれ使用者が座るための便座と、
前記便座に被せる便蓋と、
前記便座および前記便蓋が回動自在に支持される支持部と、底部に前記便器の前後方向にスリットが延在し、後面に前記スリットの開口を備えた基台部分と、
前記スリット幅よりも大きい幅の頭板部分と前記スリット幅よりも小さい径の雄ネジとを持ち、前記基台部分のスリット内に前記頭板部分を挿入して前記スリットから下方に前記雄ネジを突出せしめるボルトと、
前記便器に設けられているボルト挿入孔に前記雄ネジを通し入れた状態において、前記雄ネジに螺合し、前記スリットの肉厚と前記便器のボルト挿入孔付近の肉厚とを挟み込むことにより、前記便器と前記基台部分を挟持して固定せしめるナットとを備え、
前記ボルト挿入孔の径より小さく、前記雄ネジに螺合することにより前記ボルト挿入孔内に入り込む内ナットと前記内ナットに通し入れる可撓性を有するリングを設け、前記内ナットの径が前記基台部分から離れるほど大きくなるように傾斜を持たせたことを特徴とする。
上記構成により、リングを前記内ナットの外表面に沿わせることにより、リングを介してボルト挿入孔と雄ネジ部分とが密着し合って遊ぶことがなくなり、便座ユニットと便器とがしっかりと固定される。
【発明の効果】
【００１８】
本発明の便座ユニットによれば、便座ユニットの装着時において、便器のボルト挿入孔に対して便座ユニットのボルトの雄ネジを差し込むのみで良く、便座ユニットの固定時において、便器のボルト挿入孔と便座ユニットのボルトの雄ネジとの遊びが適切になくなり両者をしっかりと固定することができ、便座ユニットが便器に対して相対的に移動しにくく回転しにくくなる。
【発明を実施するための最良の形態】
【００１９】
以下、図面を参照しつつ、本発明の便座ユニットの実施形態を説明する。ただし、本発明の技術的範囲は以下の実施形態に示した具体的な用途や形状・寸法などには限定されない。
【実施例１】
【００２０】
実施例１として本発明の第１の便座ユニットの構成例を示す。
図１は、本発明の第１の便座ユニットの構成を模式的に示す図である。図１に示すように、本発明の便座ユニットは、便器２０の上に載せ置かれ使用者が座るための便座１１と、便座１１に被せる便蓋１２と、基台部分１を備えている。基台部分１には、便座１１および便蓋１２が回動自在に支持される支持部が設けられている。
【００２１】
基台部分１は便器２０に対して固定される。本発明は基台部分１がしっかりと便器２０に固定されるよう工夫されている。なお、図１に示した２４はパッキンであり、パッキン２４は便器２０と基台部分１との間の緩衝材としての役割を持つ。
基台部分１の底部には便器の前後方向にスリット３が延在している。スリット３の後面にはスリット開口３ａがあり、基台部分１の後方のスリット開口３からスリット３内にボルト５の頭板５ｂ’を挿入することができるようになっている。なお、この例では振れ止めピン５ｄを用いる構成例として説明する。後述するように振れ止め防止ピン５ｄを挿入するために、ボルト５の頭板５ａに振れ止めピン受入口５ｃが設けられ、パッキン２４には振れ止めピン挿通孔２が設けられている。
【００２２】
本発明の実施例１にかかる便座ユニットはボルト５の頭板５ｂ’の形状と振れ止め防止ピン５ｄを設ける点に工夫がある。ボルト５は、スリット３の幅よりも大きい幅の頭板５ｂ’とスリット３の幅よりも小さい径の雄ネジ５ａとを備えている。また、後述する振れ止め防止ピン５ｄを受け入れるための振れ止めピン受入口５ｃが設けられている。なお、ボルト５において雄ネジ５ａを設ける位置を頭板５ｂ’の延設方向の一端付近とし、他端付近に振れ止めピン受入口５ｃが設けられている。この例では頭板５ｂ’の延設方向において基台部分１の背面側に雄ネジ５ａ、正面側に振れ止めピン受入口５ｃが設けられている。
【００２３】
図３は実施例１の構成例におけるボルト５の基台部分１への取り付け方法を模式的に示す図である。図３は基台部分１のスリット３付近を模式的に取り出して示している。
【００２４】
まず、基台部分１の後方のスリット開口３からスリット３内にボルト５の頭板５ｂ’を挿入して前後方向の位置調整を行う。
【００２５】
次に、便座２０の上にパッキン２４を置く。パッキン２４はボルトの頭板部分５ｂ’よりも大きな面積を持ち、振れ止めピン受入口５ｃに対応する位置に振れ止めピン挿通孔２を備えている。このパッキン２４を便器とボルトの頭板５ｂ’との間に挟み込む。
なお、図１の構成例ではパッキン２４が左右のスリット３の両方にまでまたがるベースプレートとなっているが、ボルトの頭板よりも大きいものであれば図２のように左右に分離した２枚のパッキン２４’をそれぞれ左右のボルト５の頭板５ｂ’の下に挟み込む形でも良い。
振れ止めピン５ｄをパッキン２４の振れ止めピン挿通孔２を通してボルトの頭板部分５ｂ’の振れ止めピン受入口５ｃに固定する。このように振れ止め防止ピン５ｄを介してパッキン２４とボルト５ｄとスリット３を固定するので横振れを防止することができる。
この図３の状態の基台部分１全体を、便器２０の上に載せ、ボルト挿入孔２１に雄ネジ５ａを通し入れ、さらに、便器２０のボルト挿入孔２１付近の裏面から半球パッキン２２を挟んでナット２３を雄ネジ５ａに螺合する。
ナット２３による締め付けによって便器２０のボルト挿入孔２１付近の肉厚とスリット３の肉厚とを挟み込むことにより、便器２０と基台部分１を挟持して固定せしめる。
【００２６】
なお、ボルト５の挿入方向を変えることが可能である。図３に示した挿入方向は、頭板５ｂ’の延設方向において基台部分１の背面側に雄ネジ５ａ、正面側に振れ止めピン受入口５ｃが位置する方向であったが、図４に示すようにボルトを逆方向にして挿入することができる。つまり、頭板５ｂ’の延設方向において基台部分１の正面側に雄ネジ５ａ、背面側に振れ止めピン受入口５ｃが位置する方向にて挿入することも可能である。様々なメーカーのものが混在するのでスリットの長さ、ボルト挿入孔２１の位置、振れ止めピン挿通孔２の位置などに応じて、ボルト５を図３の方向にて挿入するか図４の方向にて挿入するかを選択すれば良い。
【００２７】
本発明の実施例１の第１の便座システムでは、以下の効果が得られている。
図５はボルトの頭板部分５ｂ’によりスリット３内での回動が制限される様子を示す図である。図５に示すように、ボルトの頭板部分５ｂ’がスリット３の前後方向に長く延設されているので、スリット３とボルトの頭板部分５ｂ’の相対的回転移動が制限され、基台部分１全体の便器２０に対する相対的移動が制限されている。
さらに、振れ止め防止ピン５ｄによってボルトの頭板部分５ｂ’が横方向に振れ動くことが防止される。
このように便器２０と基台部分１がしっかりと固定され、取り付けた後には基台部分全体がぐらつきの少ない状態で取り付けられる。
【実施例２】
【００２８】
実施例２として本発明の第２の便座ユニットの構成例を示す。
図６は、本発明の第２の便座ユニットの構成を模式的に示す図である。図６に示すように、本発明の便座ユニットもその基本構成は、実施例１に示した図１と同様であり、便器２０の上に載せ置かれ使用者が座るための便座１１と、便座１１に被せる便蓋１２と、スリット３を有する基台部分１、ボルト５、半球パッキン２２、ナット２３を備えている点は同じである。ここで、本実施例２では、チューブパッキン６を用いている点に特徴がある。
【００２９】
図７に示すように、チューブパッキン６は少なくとも一部の径が調整可能となっており、膨張可能な構造を備えている。チューブパッキン６の一部の径を膨張させる構造は特に限定されないが、例えば、膨張させる部分の素材のみ可撓性を高く（つまり延びやすく）しておく構造がある。後述するように半球パッキン２２およびナット２３によりチューブパッキン６に対して上下方向に圧力を掛けるとチューブパッキン６が歪むがその歪みによる影響が素材の柔らかい部分に大きく現われて当該部分が膨らむこととなる。図７（ａ）ではチューブパッキン６が２箇所において膨らむ場合を示している。
【００３０】
チューブパッキン６は、ボルト挿入孔２１の径より小さく、雄ネジ５ａに被せることによりボルト挿入孔内２１内に入り込み、図７（ｂ）に示したように、チューブパッキン６をボルト雄ネジ５ａに被せた上でチューブパッキン６の一部の径を膨張させることにより、ボルト挿入孔２１内の内壁に密着固定し、ボルト挿入孔２１内でチューブパッキン６およびボルト５が遊ぶことがなくなり、ボルト５を介して基台部分１と便器２０がしっかりと固定される。
【００３１】
図８はチューブパッキン６の装着の手順を示す図である。
図８（ａ）の状態は、基台部分１のスリットにボルト５を通し入れ、ボルトの雄ネジ５ａを便器２０のボルト挿入孔２１に通し入れた状態である。便器２０の裏側からチューブパッキン６を雄ネジ５ａに通し入れる。
図８（ｂ）の状態は、半球パッキン２２およびナット２３を雄ネジ５ａに螺合して上方に締め上げて行き、チューブパッキン６を下方から押し上げた状態である。チューブパッキン６の上端近くとやや下方の２箇所の径が膨らみ、チューブパッキン６とボルト挿入孔２１の内壁とが密着し合ってボルト５がボルト挿入孔２１内でしっかりと固定される。
【００３２】
本発明の実施例２の第２の便座システムでは、このように便器２０と基台部分１がしっかりと固定され、取り付けた後には基台部分全体がぐらつきの少ない状態で取り付けられるという効果が得られている。
なお、実施例１に示したように、ボルトの頭板部分５ｂ’の形状の工夫、振れ止め防止ピン５ｄによる振れ止め防止の工夫を組み合わせることができる。
【実施例３】
【００３３】
実施例３として本発明の第３の便座ユニットの構成例を示す。
図９は、本発明の第３の便座ユニットの構成を模式的に示す図である。図９に示すように、本発明の便座ユニットもその基本構成は、実施例１に示した図１と同様であり、便器２０の上に載せ置かれ使用者が座るための便座１１と、便座１１に被せる便蓋１２と、スリット３を有する基台部分１、ボルト５、半球パッキン２２、ナット２３を備えている点は同じである。ここで、本実施例３では、内ナット７ａとリング７ｂを用いている点に特徴がある。
【００３４】
図９に示すように、内ナット７ａはボルト挿入孔２１の径より小さく、雄ネジ５ａに螺合することによりボルト挿入孔２１内に入り込むサイズとなっている。内ナット７ａの径は図示の天地方向において基台部分１から離れるほど大きくなるように傾斜を持っている。
リング７ｂは内ナット７ａに通し入れるものであり、可撓性を有する素材、たとえばゴムで出来ている。内ナット７ａの径は図示のように傾斜を持っているので可撓性を有するリングが内ナット７ａの外表面に通し入れられると、下方に位置する程その径が膨らむこととなる。
【００３５】
図１０は内ナット７ａおよびリング７ｂの装着の手順を示す図である。
図１０（ａ）の状態は、基台部分１のスリットにボルト５を通し入れ、ボルトの雄ネジ５ａを便器２０のボルト挿入孔２１に通し入れた状態である。便器２０の裏側から内ナット７ａとリング７ｂを雄ネジ５ａに通し入れる。
図１０（ｂ）の状態は、内ナット７ａおよびリング７ｂを雄ネジ５ａに螺合して上方に締め上げて行き、下方から挿入した状態である。取り付け作業員が取り付ける便器のボルト挿入孔２１の内径のおおよそを見て、内ナット７ａの外表面に取り付けるリングの位置を調整し、リングのおおよその外径がボルト挿入孔２１の内径となるように合わせる。
【００３６】
リング７ｂを取り付けたまま内ナット７ａを締め上げて上方向に移動していくと、リング７ｂの外表面がボルト挿入孔２１の内壁に触れ、摩擦によってリング７ｂはさらに内ナット７ａの表面を下方に移動し、図１０（ｂ）に示すように、ボルト挿入孔２１内の内壁に密着固定し、ボルト挿入孔２１内でボルト５が遊ぶことがなくなり、ボルト５を介して基台部分１と便器２０がしっかりと固定される。
【００３７】
本発明の実施例３の第３の便座システムでは、このように便器２０と基台部分１がしっかりと固定され、取り付けた後には基台部分全体がぐらつきの少ない状態で取り付けられるという効果が得られている。
なお、実施例１に示したように、ボルトの頭板部分５ｂ’の形状の工夫、振れ止め防止ピン５ｄによる振れ止め防止の工夫を組み合わせることができる。
【００３８】
以上、本発明の便座ユニットにおける好ましい実施形態を図示して説明してきたが、本発明の技術的範囲を逸脱することなく種々の変更が可能であることは理解されるであろう。
【産業上の利用可能性】
【００３９】
本発明は多様なメーカーの便座ユニットに適用することができる。
【図面の簡単な説明】
【００４０】
【図１】本発明の第１の便座ユニットの構成を模式的に示す図
【図３】実施例１の構成例におけるボルト５の基台部分１への取り付け方法を模式的に示す図
【図４】ボルト５の基台部分１への取り付け方向を図３に示す方向とは逆にして取り付ける様子を模式的に示す図
【図５】ボルトの頭板部分５ｂ’によりスリット３内での回動が制限される様子を示す図
【図６】本発明の第２の便座ユニットの構成を模式的に示す図
【図７】チューブパッキン６の一部の径が調整可能である様子を示す図
【図８】チューブパッキン６の装着の手順を示す図
【図９】本発明の第３の便座ユニットの構成を模式的に示す図
【図１０】内ナット７ａおよびリング７ｂの装着の手順を示す図
【図１１】従来の便座ユニットの基本構成を示す図
【図１２】ボルト５のスリット３内への装着方法を模式的に説明する図
【図１３】ボルト５をボルト挿入孔に通し入れた状態を示す図
【図１４】半球パッキン２２及びナット２３を締めた状態を示す図
【図１５】ナットが緩んで便座ユニットがスリット方向に容易に位置ズレを起こす様子を示す図
【図１６】ナット２３が緩んでボルト５の雄ネジ５ｂが前後に動く様子を示す図
【図１７】ナット２３が緩んでボルト５の雄ネジ５ｂが回動してしまう様子を示す図
【符号の説明】
【００４１】
１  基台部分
２  ピン穴
３  スリット
５  ボルト
５ａ  雄ネジ
５ｂ，５ｂ’  頭板
５ｃ  振れ止めピン受入口
５ｄ  振れ止めピン
６  チューブパッキン
７ａ  内ナット
７ｂ  リング
１１  便座
１２  便蓋
２０  便器
２１  ボルト挿入孔
２２  半球パッキン
２３  ナット
２４  パッキン
【図１】
2007160124.tif 000003
【図２】
2007160124.tif 000004
【図３】
2007160124.tif 000005
【図４】
2007160124.tif 000006
【図５】
2007160124.tif 000007
【図６】
2007160124.tif 000008
【図７】
2007160124.tif 000009
【図８】
2007160124.tif 000010
【図９】
2007160124.tif 000011
【図１０】
2007160124.tif 000012
【図１１】
2007160124.tif 000013
【図１２】
2007160124.tif 000014
【図１３】
2007160124.tif 000015
【図１４】
2007160124.tif 000016
【図１５】
2007160124.tif 000017
【図１６】
2007160124.tif 000018
【図１７】
2007160124.tif 000019
【手続補正書】
【提出日】平成19年2月14日(2007.2.14)
【手続補正１】
【補正対象書類名】明細書
【補正対象項目名】００４０
【補正方法】変更
【補正の内容】
【００４０】
【図１】本発明の第１の便座ユニットの構成を模式的に示す図
【図２】パッキンが左右に分離した２枚のパッキン２４’となっている場合の図
【図３】実施例１の構成例におけるボルト５の基台部分１への取り付け方法を模式的に示す図
【図４】ボルト５の基台部分１への取り付け方向を図３に示す方向とは逆にして取り付ける様子を模式的に示す図
【図５】ボルトの頭板部分５ｂ’によりスリット３内での回動が制限される様子を示す図
【図６】本発明の第２の便座ユニットの構成を模式的に示す図
【図７】チューブパッキン６の一部の径が調整可能である様子を示す図
【図８】チューブパッキン６の装着の手順を示す図
【図９】本発明の第３の便座ユニットの構成を模式的に示す図
【図１０】内ナット７ａおよびリング７ｂの装着の手順を示す図
【図１１】従来の便座ユニットの基本構成を示す図
【図１２】ボルト５のスリット３内への装着方法を模式的に説明する図
【図１３】ボルト５をボルト挿入孔に通し入れた状態を示す図
【図１４】半球パッキン２２及びナット２３を締めた状態を示す図
【図１５】ナットが緩んで便座ユニットがスリット方向に容易に位置ズレを起こす様子を示す図
【図１６】ナット２３が緩んでボルト５の雄ネジ５ｂが前後に動く様子を示す図
【図１７】ナット２３が緩んでボルト５の雄ネジ５ｂが回動してしまう様子を示す図